(57)【要約】【課題】打球音が大きく、残響が長いゴルフクラブヘッドおよびゴルフクラブを提供する。【解決手段】本発明のゴルフクラブヘッドは、ゴルフボールを打撃するフェース面を備えるフェース部、ソール部、クラウン部およびサイド部を有し、フェース部、ソール部、クラウン部およびサイド部により外殻構造が構成されたものである。これらソール部、クラウン部およびサイド部のうち、少なくとも１つの部材は、フェース面の最小曲率半径よりも曲率半径が大きい領域を有する。この領域と略同一な平板部材が領域と所定の間隔を設けて領域に対向して設けられている。【選択図】図２
2008200319.tif 000002
【特許請求の範囲】
【請求項１】
ゴルフボールを打撃するフェース面を備えるフェース部、ソール部、クラウン部、およびサイド部を有し、前記フェース部、前記ソール部、前記クラウン部、および前記サイド部により外殻構造が構成されたゴルフクラブヘッドであって、
前記ソール部、前記クラウン部、および前記サイド部のうち、少なくとも１つの部材は、前記フェース面の最小曲率半径よりも曲率半径が大きい領域を有し、
前記領域と略同一な平板部材が前記領域と所定の間隔を設けて前記領域に対向して設けられていることを特徴とするゴルフクラブヘッド。
【請求項２】
前記領域の前記曲率半径は、最小曲率半径が３００ｍｍ以上であり、前記領域の大きさが前記フェース面の面積の３０〜１２０％である請求項１に記載のゴルフクラブヘッド。
【請求項３】
前記領域は、前記ソール部、前記クラウン部および前記サイド部のうち、設けられた少なくとも１つの部材について、その中心を含むものである請求項１または２に記載のゴルフクラブヘッド。
【請求項４】
前記領域は、その外縁にリブが形成されるか、または前記外縁に肉盛部が形成されて、設けられた部材における他の領域と分離されており、前記平板部材の外縁が略全周に亘り前記リブまたは前記肉盛部に接合されている請求項１〜３のいずれか１項に記載のゴルフクラブヘッド。
【請求項５】
前記領域と前記平板部材とが平行に設けられている請求項１〜４のいずれか１項に記載のゴルフクラブヘッド。
【請求項６】
前記領域は、平面状に形成されている請求項１〜５のいずれか１項に記載のゴルフクラブヘッド。
【請求項７】
前記請求項１〜６のいずれか１項のゴルフクラブヘッドと、前記ゴルフクラブヘッドに取り付けられるゴルフクラブシャフトとを有することを特徴とするゴルフクラブ。
【発明の詳細な説明】
【技術分野】
【０００１】
本発明は、フェース部、ソール部、クラウン部、およびサイド部により外殻構造が構成された中空のゴルフクラブヘッドおよびこれを有するゴルフクラブに関し、特に、打球音が大きく、残響が長いゴルフクラブヘッドおよびこれを有するゴルフクラブに関する。
【背景技術】
【０００２】
近年、中空構造のゴルフクラブヘッドとして、炭素繊維強化プラスチック（以下、ＣＦＲＰという）を主材とするもの、およびチタン合金またはステンレス等の金属材料を主材とするものが種々提案されている。
ゴルフクラブヘッドにおいて、ＣＦＲＰを主材とするものは、打球音が小さい。また、ゴルフクラブヘッドにおいて、金属材料を主材とするものは、ゴルフボールを打撃する際の反発特性を向上するためにフェース部材の肉厚を薄くし、しかもゴルフクラブヘッドの体積を大きくしている。このため、ゴルファにとって好ましくない打球音となってしまう場合もある。
【０００３】
一般に、ゴルファは、ゴルフボールの打撃時の打球音を、ゴルフボールの打撃が的確に成されたか否かの判断に用いる。また、ゴルファは、打球音、および残響にゴルフとしての爽快感を求めることもある。ゴルファにとって、好ましい打球音および残響があり、例えば、金属音の打球音が望まれる。
このため、ゴルフボール打撃時の音響特性がゴルファにとって好ましくない場合、ゴルフボールの打撃の良し悪しを判断することが困難となるほか、ゴルフボールの打撃に爽快感を求めることもできないものとなってしまう。
そこで、打球音の残響感を伸ばしたり、音色を調整するために、ゴルフクラブヘッドの内部にリブなどを設けて剛性変化をつけ、打球音を調節することがなされている。これ以外にも、打球音の残響感を伸ばしたり、音色を調整するために、様々な工夫が施されたゴルフクラブヘッドが提案されている（例えば、特許文献１）。
【０００４】
特許文献１には、ヘッド本体、音箱および音室により構成され、音箱構造を有するゴルフクラブヘッドが開示されている。この特許文献１においては、ヘッド本体はソール板、クラウン板とフェース板により組成されると共に、共同で囲むように内部空間が形成されている。また、音箱は、内部空間に結合されると共に、音箱には少なくとも一個の共振片が形成され、共振片は共同で囲むように音室が形成されている。特許文献１においては、共振片と音室によって立体共振の効果が提供されることにより、ヘッド本体の共振と振動の模式を変え、さらに比較的よい打球音を生じる。
【０００５】
【特許文献１】特開２００６−６１２７６号公報
【発明の開示】
【発明が解決しようとする課題】
【０００６】
しかしながら、特許文献１においては、音箱は、立体構造であるため、音箱の強度を確保するために、変形が大きいソール部の中心部を避けて、ソール部の後部に音箱が設けられている。このため、変形が大きな領域を利用することができず、打球音の改善が十分ではなく、更に打球音を改善することが難しいという問題点がある。
【０００７】
本発明の目的は、前記従来技術の問題点を解決することにあり、打球音が大きく、残響が長いゴルフクラブヘッドおよびゴルフクラブを提供することにある。
【課題を解決するための手段】
【０００８】
前記目的を達成するために、本発明の第１の態様は、ゴルフボールを打撃するフェース面を備えるフェース部、ソール部、クラウン部、およびサイド部を有し、前記フェース部、前記ソール部、前記クラウン部、および前記サイド部により外殻構造が構成されたゴルフクラブヘッドであって、前記ソール部、前記クラウン部、および前記サイド部のうち、少なくとも１つの部材は、前記フェース面の最小曲率半径よりも曲率半径が大きい領域を有し、前記領域と略同一な平板部材が前記領域と所定の間隔を設けて前記領域に対向して設けられていることを特徴とするゴルフクラブヘッドを提供するものである。
【０００９】
本発明においては、前記領域の最小曲率半径が、前記フェース面の最小曲率半径よりも大きいことが好ましい。
また、本発明においては、前記領域の前記曲率半径は、最小曲率半径が３００ｍｍ以上であり、前記領域の大きさが前記フェース面の面積の３０〜１２０％であることが好ましい。
さらに、本発明においては、前記領域は、前記ソール部、前記クラウン部および前記サイド部のうち、設けられた少なくとも１つの部材について、その中心を含むものであることが好ましい。
さらにまた、本発明においては、前記領域は、その外縁にリブが形成されるか、または前記外縁に肉盛部が形成されて、設けられた部材における他の領域と分離されており、前記平板部材の外縁が略全周に亘り前記リブまたは前記肉盛部に接合されていることが好ましい。
また、本発明においては、前記領域と前記平板部材とが平行に設けられていることが好ましい。
また、本発明においては、前記領域は、平面状に形成されていることが好ましい。
なお、本発明においては、ゴルフクラブヘッドを水平面上に通常のアドレスポジションに設置したとき、前記領域は、前記水平面と平行であることが好ましい。
【００１０】
本発明の第２の態様は、本発明の第１の態様のゴルフクラブヘッドと、前記ゴルフクラブヘッドに取り付けられるゴルフクラブシャフトとを有することを特徴とするゴルフクラブを提供するものである。
【発明の効果】
【００１１】
本発明の第１の態様のゴルフクラブヘッドおよび第２の態様のゴルフクラブによれば、
ゴルフボールを打撃するフェース面を備えるフェース部、ソール部、クラウン部、およびサイド部により中空の外殻構造が構成されるものであり、ソール部、クラウン部、およびサイド部のうち、少なくとも１つの部材について、フェース面の最小曲率半径よりも曲率半径が大きい領域を設け、この領域と略同一な平板部材を、領域に対して所定の間隔を設けて領域に対向して配置する構成にすることにより、ゴルフボールを打撃したときに、領域における部材と平板部材とがそれぞれ共振し、領域における部材と平板部材との振幅が大きくなり、打球音を大きくできるとともに、残響を伸ばすことができる。
【００１２】
また、本発明の第１の態様のゴルフクラブヘッドおよび第２の態様のゴルフクラブによれば、フェース面の最小曲率半径よりも曲率半径が大きい領域を設け、この領域と略同一な平板部材を、領域に対して所定の間隔を設けて領域に対向して配置する構成であり、領域に対向して略同一な平板部材を設けただけの簡素なものである。このように、本発明の第１の態様のゴルフクラブヘッドおよび第２の態様のゴルフクラブによれば、構成も簡素化することができる。これにより、製造コストを低くすることができる。
【発明を実施するための最良の形態】
【００１３】
以下に、添付の図面に示す好適実施形態に基づいて、本発明のゴルフクラブヘッドおよびゴルフクラブを詳細に説明する。
【００１４】
図１（ａ）は、本発明の実施形態に係るゴルフクラブを示す分解斜視図であり、（ｂ）は、図１（ａ）に示すゴルフクラブヘッドの正面図である。図２（ａ）は、図１（ａ）の模式的側断面図であり、（ｂ）は、図１（ａ）のゴルフクラブヘッドの内部の状態を示す模式的上面図である。なお、図２（ｂ）においては、ゴルフクラブヘッド２０のクラウン部２６の図示を省略している。
【００１５】
図１（ａ）および（ｂ）に示すように、ゴルフクラブ１０は、ゴルフクラブヘッド２０と、ゴルフクラブシャフト４０とを有する。
ゴルフクラブヘッド２０は、フェース部２２、ソール部２４、クラウン部２６、サイド部２８、２９およびホーゼル部３０を有する中空構造体である。このゴルフクラブヘッド２０は、一般的にウッドタイプと呼ばれる種類のヘッドである。
【００１６】
また、図１（ａ）および（ｂ）に示すように、ホーゼル部３０は、ゴルフクラブシャフト４０をゴルフクラブヘッド２０に固定するものであり、クラウン部２６に設けられている。このホーゼル部３０には、ゴルフクラブシャフト４０が挿入される開口部３２が設けられている。ゴルフクラブシャフト４０は、ゴルフクラブヘッド２０にソケット４２を伴って取り付けられている。このソケット４２には、ゴルフクラブシャフト４０を挿通可能な開口部４４が設けられている。
なお、ゴルフクラブシャフト４０は、ゴルフクラブヘッド２０に必ずしもソケット４２を用いて取り付けられる必要はなく、ゴルフクラブによっては、ソケットを用いることなく、ゴルフクラブヘッドに直接ゴルフクラブシャフトが固定されるものもある。
【００１７】
本実施形態のゴルフクラブヘッド２０では、フェース部２２、ソール部２４、クラウン部２６およびサイド部２８、２９は、それぞれ板状に成形されており、これらの部材が相互に接合されて中空の外殻構造を構成している。また、ソール部２４、クラウン部２６およびサイド部２８、２９によりバック体が構成される。このバック体においては、ソール部２４、クラウン部２６およびサイド部２８、２９により開口部が形成される。この開口部にフェース部２２が接合されている。
【００１８】
フェース部２２は、その表面がゴルフボールを打撃するフェース面２３となるものである。このフェース面２３のトウ側からヒール側に向かう水平方向に伸びたスコアラインＬが、例えば、３本平行に形成されている。
なお、フェース部２２の形態は、平板状でもよく、一般にカップフェースと呼ばれている形態のものでもよい。
【００１９】
また、ソール部２４には、フェース部２２のフェース面２３の最小曲率半径よりも、曲率半径が大きい、すなわち、平面に近い領域５０が形成されている。この領域５０は、矩形状であり、領域５０の外縁に沿って、所定の高さを有するリブ５２が形成されている。このリブ５２により、領域５０は、ソール部２４の他の領域よりも剛性が高くなり、領域５０の外縁を境界として、他の領域から独立した状態（分離された状態）で振動することができる。
ここで、フェース部２２のフェース面２３の最小曲率半径とは、フェース面２３のトウ−ヒール方向およびソール−クラウン方向等、方向を問わず、曲率半径が最も小さいもののことである。
また、本実施形態において、領域５０の最小曲率半径がフェース部２２のフェース面２３の最小曲率半径よりも大きいことが好ましい。
【００２０】
領域５０と略同一な平面部材５４が、その外縁５４ａの全周に亘り、例えば、溶接により、リブ５２に接合されている。この平面部材５４は、領域５０と形状および大きさが略同じで矩形状を呈するものであり、かつ曲率半径も略同じである。このようにして、ゴルフクラブヘッド２０の内部２０ａにおいて、領域５０に対して所定の隙間５６を設けて、この領域５０に対向して平板部材５４が設けられている。
この隙間５６は、領域５０の全域に亘り一定であることが好ましい。すなわち、領域５０と平板部材５４とが互いの面が平行に設けられていることが好ましい。
また、領域５０と、平板部材５４との形状が同一であることが好ましい。このように、領域５０と、平板部材５４とを、同一形状とすることにより、モード形状が同じになるため、より共振が起こりやすくなる。
【００２１】
なお、領域５０は、矩形状としたが、この領域５０の形状は特に限定されるものではなく、打球音の大きさ、および残響により、その形状は、適宜決定されるものである。また、領域５０の１次共振周波数は、フェース面２３と一致させることが好ましい。これにより、さらに打球音を大きくすることができ、残響時間も長くすることができる。
さらに、リブ５２の高さ（隙間５６の高さ）は、５ｍｍ以下であることが好ましい。これにより、効果的に打球音を大きくし、残響を長くすることができる。
【００２２】
また、平板部材５４は、リブ５４の外縁の全周に亘り接合されているが、本発明は、これに限定されるものではなく、略全周とみなすことができる程度のものであればよい。例えば、平板部材５４は、外縁５４ａの全周の８０％以上がリブ５２と接合されていれば、略全周とみなす。
【００２３】
また、平板部材５４は、曲率半径がフェース面２３の最小曲率半径よりも大きければ、領域５０の曲率半径と必ずしも同じである必要はない。また、平板部材５４の最小曲率半径は、フェース部２２のフェース面２３の最小曲率半径よりも大きいことが好ましい。
なお、平板部材５４は、ソール部２４と材質が同じでも、異なっていてもよい。また、平板部材５４は、その厚さについてもソール部２４と同じでも、異なっていてもよい。
【００２４】
本実施形態のゴルフクラブヘッド２０においては、ソール部２４に、フェース面２３の最小曲率半径よりも、曲率半径が大きい矩形状の領域５０を設け、この領域５０の外縁に沿ってリブ５２を設け、このリブ５２に平板部材５４を接合する構成とすることにより、ゴルフボールを打撃して衝撃を受け、ソール部２４が変形した場合、領域５０は、ソール部２４の他の領域とは独立して変形して、振動する。このとき、平板部材５４も領域５０とともに振動し、領域５０と平板部材５４とが共振する。これにより、打球音が減衰する割合が従来よりも小さくなる。このため、本実施形態においては、ゴルフボールの打撃時において、打球音が大きくなるとともに、打球音の残響が従来よりも長くなる。これにより、ゴルファにとって好ましい打球感を得ることができる。
さらには、打球音を大きくすることができるため、打球音がもともと小さいゴルフクラブヘッドについて、その打球音を大きくすることができる。特に、打球音が小さいカーボン製のフェース部を有するゴルフクラブヘッドに対しては効果的である。
【００２５】
さらに、本実施形態のゴルフクラブヘッド２０においては、平板部材５４および領域５０の構成を変えて、領域５０と平板部材５４とが共振する程度を変えることにより、ゴルフクラブヘッドのもともとの打球音に対して、その打球音の音色を変えることもできる。これにより、ゴルファが好ましいと感じる打球音の音色にすることができる。
【００２６】
また、本実施形態のゴルフクラブヘッド２０においては、領域５０の曲率半径、および平板部材５４の曲率半径は、それぞれ最小曲率半径が３００ｍｍ以上であり、領域５０の大きさ（面積）および平板部材５４の大きさ（面積）は、それぞれフェース面２３の面積の３０〜１２０％であることがより好ましい。
領域５０の最小曲率半径、および平板部材５４の最小曲率半径を、それぞれ３００ｍｍ以上とし、領域５０の大きさ（面積）および平板部材５４の大きさ（面積）を、それぞれフェース面２３の面積の３０〜１２０％とすることにより、領域５０および平板部材５４が、それぞれ面として振動しやすくなり、十分な振幅が得られる。これにより、打球音がより大きくなるとともに、打球音の残響が従来よりも一層長くなる。
ここで、領域５０および平板部材５４における最小曲率半径とは、方向を問わず、曲率半径が最も小さいもののことである。
【００２７】
また、本実施形態のゴルフクラブヘッド２０においては、ソール部２４に、平板部材５４および領域５０を設ける構成とすることにより、領域５０に対向して略同一な平板部材５４を設けただけの簡素なものとすることができる。このため、製造コストを低くすることができる。
【００２８】
また、本実施形態において、ソール部２４に領域５０および平板部材５４を設けることにより、他のクラウン部２６、およびサイド部２８、２９よりも低重心化を図ることができるために好ましい。しかしながら、領域５０および平板部材５４を設ける位置は、ソール部２４に限定されるものではない。領域５０および平板部材５４を、ソール部２４、クラウン部２６、およびサイド部２８、２９のうち、少なくとも１つの部材に設ければよく、また、１つの部材（ソール部２４、クラウン部２６またはサイド部２８、２９）に対して領域５０および平板部材５４を複数設けてもよい。
【００２９】
さらには、領域５０および平板部材５４を設ける位置は、ソール部２４、クラウン部２６、およびサイド部２８、２９の各部材のうち、設ける部材（ソール部２４、クラウン部２６またはサイド部２８、２９）について、その中心を含むように設けることが好ましい。
このように、設ける部材（ソール部２４、クラウン部２６、およびサイド部２８、２９）の中心を含めることにより、打球時に生じる大きな変形を利用することができ、打球音をより大きくでき、更には残響をより長くすることができる。
【００３０】
本発明において、図３に示すように、クラウン部２６およびソール部２４における中心Ｃとは、ゴルフクラブヘッド２０の長さＬにおける半分の位置を通る線Ｌ１と、ゴルフクラブヘッド２０の幅Ｗの半分の位置を通るＷ１とが交わる交点のことである。
また、サイド部２８における中心Ｃ１およびサイド部２９における中心Ｃ２とは、それぞれ、ゴルフクラブヘッド２０の高さＨ（図１（ｂ）参照）の半分の位置を通る線Ｈ１（図１（ｂ）参照）を含む水平面Ｂに水平な面とゴルフクラブヘッド２０の長さＬ（図３参照）における半分の位置を通る線Ｌ１を含む水平面Ｂに垂直な面とが交わる交線と、各サイド部２８、２９とが交わる点のことである。
【００３１】
ゴルフクラブヘッド２０の長さＬとは、ゴルフクラブヘッド２０を水平面Ｂ（図１（ｂ）参照）に、ライ角α（図１（ｂ）参照）を６０°に据えたとき、フェース部２２とゴルフクラブヘッド２０の後部ｂとの間を水平面Ｂに水平（平行）な方向で測定して得られた長さのことである。
【００３２】
ゴルフクラブヘッド２０の幅Ｗとは、ゴルフクラブヘッド２０を水平面Ｂ（図１（ｂ）参照）に、ライ角α（図１（ｂ）参照）を６０°に据えたとき、ヒールとトウとの間を水平面Ｂに水平な方向で測定して得られた長さのことである。
なお、ゴルフクラブヘッド２０のヒールの最後端をはっきり決めにくい場合、ゴルフクラブヘッド２０のヒールは、ゴルフクラブヘッド２０において、水平面Ｂから０．８７５インチ（２２．２３ｍｍ）の上方のところと見なされる。
【００３３】
ゴルフクラブヘッド２０の高さＨとは、ゴルフクラブヘッド２０を水平面Ｂ（図１（ｂ）参照）に、ライ角α（図１（ｂ）参照）を６０°に据えたとき、水平面Ｂからゴルフクラブヘッド２０のクラウン部２６の最も上方に位置する最高点Ａまでの水平面Ｂに垂直な方向で測定して得られた高さのことである。
【００３４】
さらに、本実施形態においては、フェース部２２、ソール部２４、クラウン部２６、またはサイド部２８、２９は、例えば、チタン合金により形成される。このチタン合金としては、例えば、神戸製鋼所社製、ＫＳ１２０（商品名（組成：Ｔｉ−０．５Ｆｅ−０．３Ｏ−０．６Ｓｉ））、神戸製鋼所社製、Ｔｉ−８１１−Ｃ（組成：Ｔｉ−８Ａｌ−１Ｍｏ−１Ｖ−０．１５Ｃ）、およびＴｉ−１５Ｖ−３Ｃｒ−３Ａｌ−３Ｓｎの組成を有するチタン合金を用いることができる。
また、チタン合金として、ＪＦＥホールディング社製、ＳＰ７００（商品名（組成：Ｔｉ−４．５Ａｌ−３Ｖ−２Ｍｏ−２Ｆｅ））を用いることができる。
さらには、チタン合金として、大同特殊鋼社製、ＶＬＴｉ（商品名（組成：Ｔｉ−６Ａｌ−１Ｆｅ））および大同特殊鋼社製、ＣＡＴｉ（商品名（組成：Ｔｉ−３Ａｌ−１３Ｃｒ−１Ｆ））ならびに新日本製鉄社製、５１ＡＦ（商品名（組成：Ｔｉ−５Ａｌ−１Ｆｅ））を用いることができる。
【００３５】
次に、本発明のゴルフクラブヘッドの打球音および残響の測定方法について説明する。
ここで、図４は、本発明のゴルフクラブヘッドの打球音および残響を測定する測定システムを示す模式図である。
図４に示すように、測定システム１００は、バイノーラル録音部１０２と、パーソナルコンピュータ（以下、ＰＣという）１０８と、アンプ１１０と、ヘッドフォン１１２とを有するものである。
【００３６】
バイノーラル録音部１０２は、人間の頭部を模したダミーヘッド１０４と、このダミーヘッド１０４の左右の耳の外耳道入口部分１０４ａに対応する箇所に設けられたマイク１０６とを有する。このマイク１０６は、ゴルフクラブヘッドの打球音の音波情報（音圧の変化）を受けて電気信号に変える公知のものである。なお、マイク１０６には、打球音を所定のサンプリング周波数でサンプリングしてデジタル信号に変換するためのＡ／Ｄ変換部を設けてもよい。
バイノーラル録音部１０２では、人間の頭部を模したダミーヘッド１０４の外耳道入口部分１０４ａにマイク１０６を設けることにより、任意の人物の頭部の位置がダミーヘッド１０４と同じ位置である場合に、この任意の人物の外耳道入口部分に到達する音情報と同様の音情報を、マイク１０６が受けることを可能としている。これにより、マイク１０６によって、任意の人物の頭部の位置がダミーヘッド１０４と同じ位置である場合に、任意の人物が聞く打球音の情報とほぼ同じ音の情報を表す電気信号を取得することができる。バイノーラル録音部１０２では、ダミーヘッド１０４の各マイク１０６それぞれにおいて音情報を取得し、各マイク１０６で取得された打球音の情報の電気信号は、ＰＣ１０８に送られる。
【００３７】
ＰＣ１０８は、バイノーラル録音部１０２のマイク１０６で得られた電気信号をサンプリング（サンプリング周波数３０ｋＨｚ〜１００ｋＨｚ）して取り込む機能を有し、マイク１０６で得られた振動波形のデータを打球音のデジタル情報として、例えば、ハードディスクドライブ（図示せず）に記憶する。
また、ＰＣ２０は、打球音情報を解析する機能を有するものである。このＰＣ１０８により、打球音のデジタル情報が解析されて、打球音の大きさ、および残響が算出される。
また、アンプ１１０を介してヘッドフォン１１２がＰＣ１０８に接続されている。これにより、測定された打球音を測定者が聞くことができる。
【００３８】
本発明において、打球音の大きさとは、ゴルフクラブヘッドによるゴルフボールのインパクト時から３５０ミリ秒の間の周波数マスキングなしのラウドネスレベルのことである。この打球音の大きさの単位は、「ホン」である。
さらに、本発明において、残響とは、得られた打球音の情報の全音域のエネルギーの合計を対数で表わしたとき、この対数で表わされる合計の最大値（全音域のエネルギーの合計）から３０デシベル（ｄＢ）下がるまでの時間のことである。
なお、本発明の打球音および残響について測定することができるものであれば、測定システム１００は上記構成に特に限定されるものではない。
また、バイノーラル録音部１０２としては、例えば、小野測器社製のＳＱ−３１１０を用いることができる。また、マイク１０６に、騒音計を用いることもできる。
【００３９】
次に、本発明の実施形態のゴルフクラブヘッド２０の第１の変形例について説明する。
図５は、本発明の実施形態のゴルフクラブヘッドの第１の変形例に係るゴルフクラブヘッドを示す模式的側断面図である。
なお、本第１の変形例において、図１〜図３に示す実施形態のゴルフクラブ１０（ゴルフクラブヘッド２０）と同一構成物には同一符号を付して、その詳細な説明は省略する。
【００４０】
本実施形態のゴルフクラブヘッド６０は、実施形態のゴルフクラブヘッド２０（図２（ａ）参照）と比較して、ソール部２４ａの構成が異なり、それ以外の構成は実施形態のゴルフクラブヘッド２０の構成と同様であるのでその詳細な説明は省略する。
【００４１】
本実施形態のゴルフクラブヘッド６０においては、ソール部２４ａに、フェース面２３の最小曲率半径よりも曲率半径が大きい領域７０が平面状に形成されている。この領域７０は、平面状に形成されていれば良く、傾斜していてもよい。
本実施形態においても、領域７０の最小曲率半径がフェース部２２のフェース面２３の最小曲率半径よりも大きいことが好ましい。
さらに、本実施形態においても、領域７０は、最小曲率半径を３００ｍｍ以上とし、領域７０の大きさ（面積）をフェース面２３の面積の３０〜１２０％とすることがより好ましい。これにより、領域７０が面として振動しやすくなり、十分な振幅が得られる。このため、打球音がより大きくなるとともに、打球音の残響が従来よりも一層長くなる。
ここで、領域７０における最小曲率半径とは、方向を問わず、曲率半径が最も小さいもののことである。
【００４２】
なお、本実施形態においては、ゴルフクラブヘッド６０を水平面Ｂ上に通常のアドレスポジションに設置したとき、領域７０が水平面Ｂと平行であることが更に好ましい。
【００４３】
ここで、ゴルフクラブヘッドを通常のアドレスポジションに設置するとは、ゴルフクラブヘッドをライ角度（ライ角α（図１（ｂ）参照））通りに設置し、かつ、ゴルフクラブヘッドにゴルフクラブシャフトを取り付け、ゴルフクラブとしたとき、このゴルフクラブのシャフト軸とリーディングエッジ（フェース面２３の上縁）とが互いに平行になるように設置することをいう。ライ角度通りに設置とは、ソール部のラウンドと水平面とのなす隙間がトウ側及びヒール側にて略等しくなる状態に設置することをいう。ソール部のラウンドが不明瞭な場合は、フェース面に描かれるスコアラインＬ（図１（ｂ）参照）が水平面Ｂに平行になるように設置してもよい。ソール部のラウンドが不明瞭でかつスコアラインが直線状でない等により水平面との平行が判別できない場合は、ライ角度は、ライ角度（度）＝（１００−クラブ長さ（インチ））にて設定される。例えば、４０インチのクラブ長さであれば、ライ角度は１００−４０＝６０°になる。
【００４４】
ここで、クラブ長さは、社団法人日本ゴルフ用品協会が定める測定法により測定される。測定器としては、株式会社鴨下精衡所製のクラブ・メジャーIIが挙げられる。即ち、ゴルフクラブシャフトのヒール側の端部とグリップエンドとの間の距離をクラブ長さとする。また、アドレスポジションにおいて、リーディングエッジの方向はフェース面２３が指す方向と直角な方向に設定される。
【００４５】
なお、ソール部２４ａは、材質などは、実施形態のゴルフクラブヘッド２０のソール部２４と同様の構成である。
ゴルフクラブヘッド６０の内部６０ａには、領域７０の外縁にリブ５２が形成されており、隙間５６を設けて平板部材５４が領域７０と互いの面が平行に設けられている。
このような構成により、本第１の変形例のゴルフクラブヘッド６０においても、実施形態と同様の効果を得ることができ、打球音が大きくかつ、打球音の残響が長い。
また、領域７０と、平板部材５４との形状が同一であることが好ましい。このように、領域７０と、平板部材５４とを、同一形状とすることにより、モード形状が同じになるため、より共振が起こりやすくなる。
【００４６】
次に、本発明の実施形態のゴルフクラブヘッド２０の第２の変形例について説明する。
図６は、本発明の実施形態のゴルフクラブヘッドの第２の変形例に係るゴルフクラブヘッドの要部を示す模式的部分側断面図である。
なお、本第２の変形例において、図１〜図３に示す実施形態のゴルフクラブ１０（ゴルフクラブヘッド２０）と同一構成物には同一符号を付して、その詳細な説明は省略する。
【００４７】
本第２の変形例のゴルフクラブヘッド６２は、実施形態のゴルフクラブヘッド２０（図２（ａ）参照）と比較して、ソール部７２の構成が異なり、それ以外の構成は実施形態のゴルフクラブヘッド２０の構成と同様であるのでその詳細な説明は省略する。
【００４８】
本第２の変形例のゴルフクラブヘッド６２においては、ソール部７０の一部が外面７２ａ側に押し出されて、フェース面２３の最小曲率半径よりも曲率半径が大きい領域７４が形成されている。ソール部７２においては、領域７４により凹部７６が形成されている。この領域７４による凹部７６を覆うようにして、平板部材７８がソール部２４の内面７２ｂに、平板部材７８の外縁７８ａに沿って、例えば、溶接により接合されている。領域７４と平板部材７８との間には凹部７８により隙間７６が生じる。
また、本第２の変形例においても、領域７４の最小曲率半径がフェース部２２のフェース面２３の最小曲率半径よりも大きいことが好ましい。
【００４９】
なお、ソール部７２は、材質などは、実施形態のゴルフクラブヘッド２０のソール部２４と同様の構成である。さらに、平板部材７８は、基本的には、実施形態のゴルフクラブヘッド２０の平板部材５４と同様の構成である。
また、平板部材７８においても、領域７４による凹部７６を覆うように接合することができれば、ソール部７２の材質と同じであっても、また異なっていてもよい。平板部材７８の曲率半径についても、フェース面２３の最小曲率半径よりも曲率が大きければ、領域７４と同じでなくてもよい。また、平板部材７８の最小曲率半径も、フェース部２２のフェース面２３の最小曲率半径よりも大きいことが好ましい。
【００５０】
さらに、本第２の変形例においても、領域７４および平板部材７８は、それぞれ最小曲率半径を３００ｍｍ以上とし、領域７４の大きさ（面積）および平板部材７８の大きさ（面積）を、それぞれフェース面２３の面積の３０〜１２０％とすることがより好ましい。これにより、領域７４および平板部材７８が、それぞれ面として振動しやすくなり、十分な振幅が得られる。このため、打球音がより大きくなるとともに、打球音の残響が従来よりも一層長くなる。
ここで、領域７４および平板部材７８における最小曲率半径とは、方向を問わず、曲率半径が最も小さいもののことである。
【００５１】
なお、本第２の変形例においても、第１の変形例と同様に、フェース面２３の最小曲率半径よりも曲率が大きければ、領域７４は平面状に形成してもよい。この領域７４は、平面状に形成されていれば傾斜していてもよい。さらには、ゴルフクラブヘッド６２を水平面Ｂ上に通常のアドレスポジションに設置したとき、領域７４は水平面Ｂ（図５参照）と平行であることが更に好ましい。また、平板部材７８についても、領域７４と同様に、平面状でもよく、また平面状であれば、傾斜していてもよい。さらには、ゴルフクラブヘッド６２を水平面Ｂ上に通常のアドレスポジションに設置したとき、平板部材７８は水平面Ｂ（図５参照）と平行であることが更に好ましい。
【００５２】
また、本第２の変形例のゴルフクラブヘッド６２において、図４に示す測定システム１００を用いて、打球音の大きさと残響時間を測定した結果、打球音の大きさが９８．４（ホン）であり、残響時間が４６．１（ミリ秒）であった。これに対して、本第２の変形例のゴルフクラブヘッド６２において、平板部材７８が設けられていない構成のゴルフクラブヘッドについて、図４に示す測定システム１００を用いて、打球音の大きさと残響を測定した結果、打球音の大きさが９６．７（ホン）であり、残響時間が３４．０（ミリ秒）であった。
このようなことから、本第２の変形例のゴルフクラブヘッド６２においても、実施形態と同様の効果を得ることができ、打球音が大きくかつ、打球音の残響が長い。
【００５３】
また、本発明の実施形態ならびに第１の変形例および第２の変形例においては、リブ５２を設ける構成としたが、これに限定されるものではなく、リブ５２に代えて肉盛部を設ける構成でもよい。この肉盛部は、例えば、ビードにより形成されるものである。
【００５４】
さらに、本発明の実施形態の第１の変形例および第２の変形例においては、ゴルフクラブヘッド６０、６２について説明しているが、これらの第１の変形例および第２の変形例のゴルフクラブヘッド６０、６２を有するゴルフクラブについても、実施形態と同様の効果を得ることができることは言うまでもない。
【００５５】
以上、本発明のゴルフクラブヘッドおよびゴルフクラブについて説明したが、本発明は上述の実施形態に限定はされず、本発明の要旨を逸脱しない範囲において、各種の改良または変更を行ってもよいのは、もちろんである。
【図面の簡単な説明】
【００５６】
【図１】（ａ）は、本発明の実施形態に係るゴルフクラブを示す分解斜視図であり、（ｂ）は、図１（ａ）に示すゴルフクラブヘッドの正面図である。
【図２】（ａ）は、図１（ａ）の模式的側断面図であり、（ｂ）は、図１（ａ）のゴルフクラブヘッドの内部の状態を示す模式的上面図である。
【図３】本発明のゴルフクラブヘッドにおける長さ、および幅について説明するための模式的上面図である。
【図４】本発明のゴルフクラブヘッドの打球音および残響を測定する測定システムを示す模式図である。
【図５】本発明の実施形態のゴルフクラブヘッドの第１の変形例に係るゴルフクラブヘッドを示す模式的側断面図である。
【図６】本発明の実施形態のゴルフクラブヘッドの第２の変形例に係るゴルフクラブヘッドの要部を示す模式的部分側断面図である。
【符号の説明】
【００５７】
１０  ゴルフクラブ
２０、６０、６２  ゴルフクラブヘッド
２２  フェース部
２３  フェース面
２４、２４ａ、７２  ソール部
２６  クラウン部
２８、２９  サイド部
３０  ホーゼル部
３２、４４  開口部
４０  ゴルフクラブシャフト
５０、７０、７４  領域
５２  リブ
５４、７８  平板部材
５４ａ、７８ａ  外縁
７６  凹部
１００  測定システム
１０２  バイノーラル録音部
１０８  パーソナルコンピュータ（ＰＣ）
１１０  アンプ
１１２  ヘッドフォン
【図１】
2008200319.tif 000003
【図２】
2008200319.tif 000004
【図３】
2008200319.tif 000005
【図４】
2008200319.tif 000006
【図５】
2008200319.tif 000007
【図６】
2008200319.tif 000008